(57)【要約】【課題】  反射型空間光変調素子及び反射型偏光板を使用した投射型画像表示装置において、光源から空間光変調素子に至る光学系の小型化を図り、装置構成の小型化を図る。【解決手段】  色分解光学系４，１０で色分解された各色光Ｒ，Ｇ，Ｂの一方の偏光成分を各色用反射型空間光変調素子８，１３，１６に入射させこれら反射型空間光変調素子８，１３，１６で反射された画像光を反射する各色光用の反射型偏光板７，１２，１５と、各反射型偏光板７，１２，１５で反射された画像光を色合成する色合成光学系１７と、色合成された画像光を投射する投射レンズ１８とを備える。【選択図】      図１
2007003809.tif 000002
【特許請求の範囲】
【請求項１】
光源と、
前記光源からの光を赤色光、緑色光及び青色光の三原色に色分解する色分解光学系と、
前記赤色光、緑色光及び青色光の三原色に対応された各色光用の反射型空間光変調素子と、
前記色分解光学系を経た赤色光、緑色光及び青色光の各色ごとにＰ偏光、または、Ｓ偏光の偏光成分をそれぞれ透過させて、対応する各色光用の前記反射型空間光変調素子にそれぞれ入射させるとともに、前記各反射型空間光変調素子において対応する各色光の画像信号に応じて偏光変調されて反射された各色の画像光を反射させる各色光用の反射型偏光板と、
前記各反射型偏光板により反射された画像光を色合成する色合成光学系と、
前記色合成光学系で得られた色合成画像光を投射する投射レンズと
を備えたことを特徴とする投射型画像表示装置。
【請求項２】
前記反射型偏光板は、入射される各色光のうち、Ｐ偏光の偏光成分を透過させ、Ｓ偏光の偏光成分を反射する
ことを特徴とする請求項１記載の投射型画像表示装置。
【発明の詳細な説明】
【技術分野】
【０００１】
本発明は、液晶ライトバルブなどの空間光変調素子を用いて変調した画像を投射レンズにより結像させて画像表示を行う投射型画像表示装置に関する。
【背景技術】
【０００２】
従来、液晶ライトバルブなどの空間光変調素子を用いた投射型画像表示装置は、高解像度及び高コントラスト比の画像表示ができることから、種々の構成の装置が開発され、また、商品化されている。
【０００３】
このような投射型画像表示装置の多くは、空間光変調素子を３枚備えて構成されるいわゆる「カラープロジェクタ」である。この「カラープロジェクタ」は、メタルハライドランプ等の強力な光源から得られる白色光を 三原色光に分解し、このように色分解された各色光を各色に対応する空間光変調素子に導き、各空間光変調素子を各色に対応する画像信号で駆動することにより変調し、さらに、各色の変調光を合成して投射することにより、画像表示を行うように構成されている。
【０００４】
反射型空間光変調素子を用いた投射型画像表示装置としては、例えば、特許文献１に記載されているように、空間光変調素子により変調された画像光を反射型偏光板によって分離させるようにしたものが提案されている。
【０００５】
このような反射型偏光板を用いた投射型画像表示装置においては、図６に示すように、光源１０１から出射された照明光は、照明光学系を構成するライトパイプ１０２を透過し、第１のダイクロイックミラー１０３において、青色（Ｂ）光が透過し、赤緑色（ＲＧ）光が反射されることにより色分解される。
【０００６】
第１のダイクロイックミラー１０３を透過した青色（Ｂ）光１０４は、ミラー１０５，１０６により反射され、第１の反射型偏光板１０７に入射し、一方向の偏光方向の光のみがこの第１の反射型偏光板１０７を透過する。第１の反射型偏光板１０７を透過した青色（Ｂ）光は、この青色（Ｂ）光に対応した第１の反射型空間光変調素子１０８に入射する。
【０００７】
また、第１のダイクロイックミラー１０３において反射された赤緑色（ＲＧ）光１０９は、ミラー１１０により反射され、第２のダイクロイックミラー１１１に入射する。この第２のダイクロイックミラー１１１においては、赤色（Ｒ）光が透過し、緑色（Ｇ）光が反射されることにより、これら赤色（Ｒ）光及び緑色（Ｇ）光が色分解される。
【０００８】
第２のダイクロイックミラー１１１を透過した赤色（Ｒ）光は、第２の反射型偏光板１１３に入射し、一方向の偏光方向の光のみがこの第２の反射型偏光板１１３を透過する。第２の反射型偏光板１１３を透過した赤色（Ｒ）光は、この赤色（Ｒ）光に対応した第２の反射型空間光変調素子１１５に入射する。
【０００９】
そして、第２のダイクロイックミラー１１１により反射された緑色（Ｇ）光は、第３の反射型偏光板１１２に入射し、一方向の偏光方向の光のみがこの第３の反射型偏光板１１２を透過する。第３の反射型偏光板１１２を透過した緑色（Ｇ）光は、この緑色（Ｇ）光に対応した第３の反射型空間光変調素子１１４に入射する。
【００１０】
各反射型空間光変調素子１０８，１１５，１１４に入射した赤色（Ｒ）光、緑色（Ｇ）光及び青色（Ｂ）光は、それぞれの画像信号に応じて偏光変調された画像光を含んで反射される。この画像光は、それぞれ反射型偏光板１０７，１１３，１１２により反射されて、クロスダイクロイックプリズム１１６に３方向から入射される。
【００１１】
このクロスダイクロイックプリズム１１６は、赤色（Ｒ）光、緑色（Ｇ）光及び青色（Ｂ）光を合成して、投射レンズ１１７に入射する。この投射レンズ１１７は、入射された各画像光を、図示しないスクリーン上に結像させ、画像表示を行う。
【００１２】
【特許文献１】特開２００４−２７９７０５公報
【発明の開示】
【発明が解決しようとする課題】
【００１３】
ところで、前述した従来の投射型画像表示装置においては、各ダイクロイックミラー１０３，１１１により色分解された後の各色光がミラーにより光路偏向される回数が多いため、装置構成が大型化、複雑化してしまうという問題がある。すなわち、この投射型画像表示装置においては、第１のダイクロイックミラー１０３において色分解された青色（Ｂ）光がミラー１０５，１０６によって２回光路偏向されている。
【００１４】
そこで、本発明は、前述の実情に鑑みて提案されるものであって、反射型空間光変調素子及び反射型偏光板を使用した投射型画像表示装置において、光源から空間光変調素子に至る光学系の小型化を図ることにより、装置構成の小型化が図られた投射型画像表示装置を提供することを目的とする。
【課題を解決するための手段】
【００１５】
上述の課題を解決するため、本発明に係る投射型画像表示装置は、以下のいずれかの構成を有するものである。
【００１６】
〔構成１〕
光源と、この光源からの光を赤色光、緑色光及び青色光の三原色に色分解する色分解光学系と、赤色光、緑色光及び青色光の三原色に対応された各色光用の反射型空間光変調素子と、色分解光学系を経た赤色光、緑色光及び青色光の各色ごとにＰ偏光、または、Ｓ偏光の偏光成分をそれぞれ透過させて対応する各色光用の反射型空間光変調素子にそれぞれ入射させるとともに各反射型空間光変調素子において対応する各色光の画像信号に応じて偏光変調されて反射された各色の画像光を反射させる各色光用の反射型偏光板と、これら各反射型偏光板により反射された画像光を色合成する色合成光学系と、この色合成光学系で得られた色合成画像光を投射する投射レンズとを備えたことを特徴とするものである。
【００１７】
〔構成２〕
構成１を有する投射型画像表示装置において、反射型偏光板は、入射される各色光のうち、Ｐ偏光の偏光成分を透過させ、Ｓ偏光の偏光成分を反射することを特徴とするものである。
【００１８】
そして、この投射型画像表示装置においては、色分解光学系を経た赤色光、緑色光及び青色光が対応する反射型空間光変調素子に入射するまでの間にミラーにより光路偏向をされる回数を１回以下とすることにより、光源から空間光変調素子に至る光学系の小型化が達成される。
【００１９】
なお、光源と色分解光学系との間には、光源から発する光の強度分布を均一化する照明光学系を配置してもよい。
【００２０】
また、この投射型画像表示装置において、色分解光学系としては、２枚のダイクロイックミラーが十字状に構成されたクロスダイクロイックミラーによって赤緑色（ＲＧ）光と青色（Ｂ）光とを色分解し、もしくは、赤色（Ｒ）光と緑青色（ＧＢ）光とを色分解する第１の色分解光学系と、赤緑色（ＲＧ）光、もしくは、緑青色（ＧＢ）光を、赤色（Ｒ）光と緑色（Ｇ）光とに色分解し、もしくは、緑色（Ｇ）光と青色（Ｂ）光とに色分解する第２の色分解光学系とからなるものとすることができる。
【００２１】
また、反射型偏光板の後には、各色光用の反射型偏光板により反射された各色の画像光から不要な偏光成分を除去する各色光用の透過型偏光板を設置してもよい。
【００２２】
そして、色合成光学系としては、クロスダイクロイックプリズムや、いわゆるフィリップスプリズムを用いることができる。
【００２３】
なお、各反射型偏光板は、画像光を反射する反射素子面を各反射型空間光変調素子の側に向けて設置することにより、この反射型偏光板におけるコマ収差の発生を防止することができる。
【発明の効果】
【００２４】
本発明に係る投射型画像表示装置においては、色分解光学系を経た赤色光、緑色光及び青色光が対応する反射型空間光変調素子に入射するまでの間にミラーにより光路偏向をされる回数を１回以下とすることにより、光源から空間光変調素子に至る光学系の小型化を図ることができる。
【００２５】
すなわち、本発明は、反射型空間光変調素子及び反射型偏光板を使用した投射型画像表示装置において、光源から空間光変調素子に至る光学系の小型化を図ることにより、装置構成の小型化が図られた投射型画像表示装置を提供することができるものである。
【発明を実施するための最良の形態】
【００２６】
以下、本発明に係る投射型画像表示装置の実施の形態について、図面を参照して詳細に説明する。
【００２７】
〔第１の実施の形態〕
図１は、本発明に係る投射型画像表示装置の第１の実施の形態における構成を示す平面図である。
【００２８】
この投射型画像表示装置は、図１に示すように、光源１から発せられた照明光は、照明光学系を構成するライトパイプ（ロッドインテグレータ）２を透過し、コンデンサレンズ３を経て、第１の色分解光学系となるクロスダイクロイックミラー４に入射される。なお、光源１としては、メタルハライドランプ等、強力な白色光が得られるものを使用する。ライトパイプ２においては、光源１からの照明光が多数回に亘って内面反射されることにより、この照明光の照度分布が均一化される。
【００２９】
クロスダイクロイックミラー４は、２枚のダイクロイックミラーが十字状に組み合わされて構成されたものであり、一方のダイクロイックミラーが青色光Ｂを反射させ、他方のダイクロイックミラーが赤緑色光ＲＧを反射させる特性を有している。このクロスダイクロイックミラー４において、光源１からの照明光は、青色光Ｂ成分が一方向に反射され、赤緑色光ＲＧ成分が、青色光Ｂ成分が反射される方向の反対側である他方向に反射される。
【００３０】
クロスダイクロイックミラー４において一方向に反射された青色光Ｂは、第１のミラー５により反射されて偏向し、リレーレンズ６を経て、第１の反射型偏光板７に入射する。この第１の反射型偏光板７は、いわゆる「ワイヤグリッド」であって、光路に対して略４５°傾斜されて設置されており、この第１の反射型偏光板７に対するＰ偏向成分のみを透過させる。この第１の反射型偏光板７を透過した青色光Ｂは、この青色光Ｂに対応した第１の反射型空間光変調素子８に入射する。この反射型空間光変調素子は、例えば、反射型液晶ライトバルブである。また、クロスダイクロイックミラー４において他方向に反射された赤緑色光ＲＧは、第２のミラー９により反射されて偏向し、第２の色分解光学系となるダイクロイックミラー１０に入射する。このダイクロイックミラー１０においては、赤色光Ｒが透過し、緑色光Ｇが反射されることにより、これら赤色光Ｒ及び緑色光Ｇが色分解される。
【００３１】
ダイクロイックミラー１０を透過した赤色光Ｒは、リレーレンズ１１を経て、第２の反射型偏光板１２に入射する。この第２の反射型偏光板１２は、いわゆる「ワイヤグリッド」であって、光路に対して略４５°傾斜されて設置されており、この第２の反射型偏光板１２に対するＰ偏向成分のみを透過させる。この第２の反射型偏光板１２を透過した赤色光Ｒは、この赤色光Ｒに対応した第２の反射型空間光変調素子１３に入射する。
【００３２】
また、ダイクロイックミラー１０において反射された緑色光Ｇは、リレーレンズ１４を経て、第３の反射型偏光板１５に入射する。この第３の反射型偏光板１５は、いわゆる「ワイヤグリッド」であって、光路に対して略４５°傾斜されて設置されており、この第３の反射型偏光板１５に対するＰ偏向成分のみを透過させる。この第３の反射型偏光板１５を透過した緑色光Ｇは、この緑色光Ｇに対応した第３の反射型空間光変調素子１６に入射する。
【００３３】
図２は、反射型偏光板の構成を示す斜視図である。
【００３４】
各反射型偏光板７，１２，１５は、図２に示すように、光学ガラス板２０１上に、アルミニウムなどの金属線２０２を、例えば、１４０ｎｍ程度のピッチで規則正しくストライプ状に多数本並べて形成した反射素子面を有するものである。この反射型偏光板７，１２，１５は、金属線２０２に垂直な偏光成分（例えば、Ｐ偏光光）をそのまま透過させ、かつ、金属線２０２に平行な偏光成分（例えば、Ｓ偏光光）を反射する特性を有している。
【００３５】
この反射型偏光板７，１２，１５においては、入射角が変動しても、Ｐ偏光光の透過率の波長依存性の変動が極めて小さく、安定した特性が維持される。したがって、この投射型画像表示装置において、反射型偏光板７，１２，１５を用いることにより、明るく、色再現性の良好な表示画像を得ることができる。また、反射型偏光板７，１２，１５は、一枚の板状の偏光分離板であるので、軽量である。また、反射型偏光板７，１２，１５は、光源１から発せられる光を吸収しにくいため、複屈折による表示画像の品質低下を抑えることができる。
【００３６】
なお、これら反射型偏光板７，１２，１５は、各反射型空間光変調素子８，１３，１６からの画像光を反射する反射素子面を、各反射型空間光変調素子８，１３，１６の側に向けて設置するようにする。このように設置することにより、各反射型空間光変調素子８，１３，１６から後述する投射レンズ１８に至る画像光について、反射型偏光板７，１２，１５の光学ガラス板２０１におけるコマ収差の発生を防止することができる。
【００３７】
各反射型空間光変調素子８，１３，１６に入射した青色光Ｂ、赤色光Ｒ及び緑色光Ｇは、それぞれの画像信号に応じて、各反射型偏光板７，１２，１５に対するＳ偏向に偏光変調された画像光を含んで反射される。これら画像光は、図１に示すように、それぞれ反射型偏光板７，１２，１５により反射されて、色合成光学系となるクロスダイクロイックプリズム１７に３方向から入射される。
【００３８】
なお、各反射型偏光板７，１２，１５とクロスダイクロイックプリズム１７の間には、各色光用の反射型偏光板７，１２，１５により反射された各色の画像光から不要な偏光成分を除去するために、各色光用の透過型偏光板を設置してもよい。
【００３９】
このクロスダイクロイックプリズム１７は、４つの三角柱状プリズムが接合されて立方体状に構成されたプリズムであって、各三角柱状プリズムの接合面には、ダイクロイック膜が形成されている。このダイクロイック膜は、２つの平面がクロスダイクロイックプリズム１７の中心において十字状に交差した状態に形成されている。このクロスダイクロイックプリズム１７において一方の平面をなすダイクロイック膜は、青色光Ｂ成分を反射し、赤色光Ｒ及び緑色光Ｇ成分を透過させる。また、このクロスダイクロイックプリズム１７において他方の平面をなすダイクロイック膜は、赤色光Ｒ成分を反射し、青色光Ｂ及び緑色光Ｇ成分を透過させる。
【００４０】
したがって、このクロスダイクロイックプリズム１７においては、一側面から入射された青色光Ｂが一方の平面をなすダイクロイック膜により反射されて前方に出射され、他側面から入射された赤色光Ｒが他方の平面をなすダイクロイック膜により反射されて前方に出射され、後面から入射された緑色光Ｇが各ダイクロイック膜を透過して前方に出射されることにより、これら青色光Ｂ、赤色光Ｒ及び緑色光Ｇが合成される。
【００４１】
このようにしてクロスダイクロイックプリズム１７において合成された青色光Ｂ、赤色光Ｒ及び緑色光Ｇは、投射レンズ１８に入射される。この投射レンズ１８は、入射された各画像光を、図示しないスクリーン上に結像させ、画像表示を行う。
【００４２】
〔第２の実施の形態〕
図３は、本発明に係る投射型画像表示装置の第２の実施の形態における構成を示す平面図である。
【００４３】
本発明に係る投射型画像表示装置においては、図３に示すように、照明光学系として、前述のライトパイプ２に代えて、フライアイインテグレータ２０を使用してもよい。
【００４４】
すなわち、この投射型画像表示装置においては、光源１から発せられた照明光は、照明光学系を構成するフライアイインテグレータ２０を透過し、コンデンサレンズ３を経て、第１の色分解光学系となるクロスダイクロイックミラー４に入射される。以降の構成は、第１の実施の形態と同様である。
【００４５】
このフライアイインテグレータ２０は、一対の平板状の透明基材のそれぞれに、小径の凸レンズがマトリクス状に形成されたものである。このフライアイインテグレータ２０においては、光源像が多数形成され、これら光源像が重ね合わされることにより、この照明光の照度分布が均一化される。
【００４６】
〔第３の実施の形態〕
図４は、本発明に係る投射型画像表示装置の第３の実施の形態における構成を示す平面図である。
【００４７】
本発明に係る投射型画像表示装置は、図４に示すように、色合成光学系として、いわゆるフィリップスプリズム２１を使用してもよい。
【００４８】
すなわち、この投射型画像表示装置においては、色分解光学系から各空間光変調素子８，１３，１６に照明光が入射されるまでの光路は、前述の第１の実施の形態と同様である。ただし、この投射型画像表示装置においては、第１及び第２の反射型偏光板７，１２は、光路に対して約３０°の傾斜を有して設置されている。
【００４９】
各反射型空間光変調素子８，１３，１６に入射した青色光Ｂ、赤色光Ｒ及び緑色光Ｇは、それぞれの画像信号に応じて、各反射型偏光板７，１２，１５に対するＳ偏向に偏光変調された画像光を含んで反射される。これら画像光は、それぞれ反射型偏光板７，１２，１５により反射されて、色合成光学系となるフィリップスプリズム２１に３方向から入射される。
【００５０】
このフィリップスプリズム２１は、青色光Ｂ、赤色光Ｒ及び緑色光Ｇを合成して、投射レンズ１８に入射する。この投射レンズ１８は、入射された各画像光を、図示しないスクリーン上に結像させ、画像表示を行う。
【００５１】
フィリップスプリズム２１は、例えば、特許第２５０５７５８号公報に記載されているように、画面対応部分に接合部を有さないプリズムであり、いわゆる「３板式ビデオカメラ」で色分解プリズムとして使用されているものである。このフィリップスプリズム２１は、少なくとも２組の対向面を形成して配置された少なくとも第１乃至第３プリズム２１ａ，２１ｂ，２１ｃより構成されており、第１プリズム２１ａと第２プリズム２１ｂとを接合した第１の対向面には、赤色光Ｒを反射し、かつ、緑色光Ｇを透過させる第１ダイクロイック膜が形成され、第１プリズム２１ａと第３プリズム２１ｃとを接合した第２の対向面には、赤色光Ｒ及び緑色光Ｇを透過させ、かつ、青色光Ｂを反射する第２ダイクロイック膜が形成されている。
【００５２】
したがって、このフィリップスプリズム２１において、第１プリズム２１ａから入射された赤色光Ｒは、第１ダイクロイック膜により反射され、第２ダイクロイック膜を透過して、第３プリズム２１ｃ内に進入し、また、第２プリズム２１ｂから入射された緑色光Ｇは、第１及び第２ダイクロイック膜をそのまま透過して、第３プリズム２１ｃ内に進入し、また、第３プリズム２１ｃから入射された青色光Ｂは、第２ダイクロイック膜により反射され、この第３プリズム２１ｃ内で、赤色光Ｒ、緑色光Ｇ及び青色光Ｂの各画像光が色合成される。
【００５３】
〔第４の実施の形態〕
図５は、本発明に係る投射型画像表示装置の第４の実施の形態における構成を示す平面図である。
【００５４】
本発明に係る投射型画像表示装置は、図５に示すように、クロスダイクロイックミラーを使わないで構成することもできる。
【００５５】
すなわち、この投射型画像表示装置においては、図５に示すように、光源１から発せられた照明光は、照明光学系を構成するライトパイプ（ロッドインテグレータ）２を透過し、コンデンサレンズ３を経て、第１の色分解光学系となる第１のダイクロイックミラー２２に入射される。この第１のダイクロイックミラー２２は、青色光Ｂを透過させ、赤緑色光ＲＧを反射させる特性を有している。すなわち、この第１のダイクロイックミラー２２において、光源１からの照明光は、青色光Ｂ成分が透過され、赤緑色光ＲＧ成分が反射される。
【００５６】
第１のダイクロイックミラー２２を透過した青色光Ｂは、リレーレンズ６を経て、第１の反射型偏光板７に入射する。この第１の反射型偏光板７は、光路に対して略４５°傾斜されて設置されており、この第１の反射型偏光板７に対するＰ偏向成分のみを透過させる。この第１の反射型偏光板７を透過した青色光Ｂは、この青色光Ｂに対応した第１の反射型空間光変調素子８に入射する。
【００５７】
また、第１のダイクロイックミラー２２において反射された赤緑色光ＲＧは、ミラー９により反射されて偏向し、第２の色分解光学系となる第２のダイクロイックミラー１０に入射する。この第２のダイクロイックミラー１０においては、赤色光Ｒが透過し、緑色光Ｇが反射されることにより、これら赤色光Ｒ及び緑色光Ｇが色分解される。
【００５８】
第２のダイクロイックミラー１０を透過した赤色光Ｒは、リレーレンズ１１を経て、第２の反射型偏光板１２に入射する。この第２の反射型偏光板１２は、光路に対して略４５°傾斜されて設置されており、この第２の反射型偏光板１２に対するＰ偏向成分のみを透過させる。この第２の反射型偏光板１２を透過した赤色光Ｒは、この赤色光Ｒに対応した第２の反射型空間光変調素子１３に入射する。
【００５９】
また、第２のダイクロイックミラー１０において反射された緑色光Ｇは、リレーレンズ１４を経て、第３の反射型偏光板１５に入射する。この第３の反射型偏光板１５は、光路に対して略４５°傾斜されて設置されており、この第３の反射型偏光板１５に対するＰ偏向成分のみを透過させる。この第３の反射型偏光板１５を透過した緑色光Ｇは、この緑色光Ｇに対応した第３の反射型空間光変調素子１６に入射する。
【００６０】
各反射型空間光変調素子８，１３，１６に入射した青色光Ｂ、赤色光Ｒ及び緑色光Ｇは、それぞれの画像信号に応じて、各反射型偏光板７，１２，１５に対するＳ偏向に偏光変調された画像光を含んで反射される。これら画像光は、それぞれ反射型偏光板７，１２，１５により反射されて、色合成光学系となるクロスダイクロイックプリズム１７に３方向から入射される。
【００６１】
クロスダイクロイックプリズム１７は、青色光Ｂ、赤色光Ｒ及び緑色光Ｇを合成して、投射レンズ１８に入射する。この投射レンズ１８は、入射された各画像光を、図示しないスクリーン上に結像させ、画像表示を行う。
【図面の簡単な説明】
【００６２】
【図１】本発明に係る投射型画像表示装置の第１の実施の形態における構成を示す平面図である。
【図２】前記投射型画像表示装置における反射型偏光板の構成を示す斜視図である。
【図３】本発明に係る投射型画像表示装置の第２の実施の形態における構成を示す平面図である。
【図４】本発明に係る投射型画像表示装置の第３の実施の形態における構成を示す平面図である。
【図５】本発明に係る投射型画像表示装置の第４の実施の形態における構成を示す平面図である。
【図６】従来の投射型画像表示装置の構成を示す平面図である。
【符号の説明】
【００６３】
１    光源
４    クロスダイクロイックミラー
７    第１の反射型偏光板
８    第１の反射型空間光変調素子
１０  ダイクロイックミラー（第２のダイクロイックミラー）
１２  第２の反射型偏光板
１３  第２の反射型空間光変調素子
１５  第３の反射型偏光板
１６  第３の反射型空間光変調素子
１７  クロスダイクロイックプリズム
１８  投射レンズ
２１  フィリップスプリズム
２２  第１のダイクロイックミラー
Ｒ    赤色光
Ｇ    緑色光
Ｂ    青色光
【図１】
2007003809.tif 000003
【図２】
2007003809.tif 000004
【図３】
2007003809.tif 000005
【図４】
2007003809.tif 000006
【図５】
2007003809.tif 000007
【図６】
2007003809.tif 000008